(57)【特許請求の範囲】
【請求項１】
駆動側ケーシングと第１のバックアッププレートとにより第１のダイアフラムを介して液密に形成する駆動側チャンバと、
ポンプヘッドと第２のバックアッププレートとにより第２のダイアフラムを介して液密に形成するポンプ室と、
前記第１のバックアッププレートの凸面を前記第２のバックアッププレートの凹面に嵌入してシール手段を使用し、前記第１のダイアフラムと前記第２のダイアフラムにより囲繞して形成する緩衝液室と、
を備えることを特徴とするダブルダイアフラム型往復動ポンプ。
【発明の詳細な説明】
【０００１】
【発明の属する技術分野】
本発明は、ダイアフラム型往復動ポンプ、特にダブルダイアフラム型往復動ポンプの改良に関する。
【０００２】
【従来の技術】
一般に、ダイアフラム型往復動ポンプは、ポンプ部がダイアフラムを介して駆動部から絶縁されている。すなわち、ポンプ取扱液の外部への漏洩或いは前記取扱液への外部物質、例えば、駆動側の作動油等の混入が防止されている。また、特殊な取扱液、例えば、飲食品、医薬品、危険物質等の取扱液に使用するダイアフラム型往復動ポンプは、前記のような混入防止をより確実にするため、ポンプ室と駆動室の間に中間室を設けた、いわゆるダブルダイアフラム型往復動ポンプが、例えば実開平３−８７８８４号公報で提案されている。
【０００３】
すなわち、従来のダブルダイアフラム型往復動ポンプは、前記実用公開公報の図３に示すように、２枚のダイアフラム８，８ａを有し、一方のダイアフラム８ａと駆動側の油圧チャンバ（図示せず）との間に形成される油圧室１６と、他方のダイアフラム８とポンプ側ケーシング（図示せず）との間に形成されるポンプ室４とからなり、これらの両室間にダイアフラム８，８ａを介して中間室１１が形成される。さらに、駆動部内を往復動するプランジャ（図示せず）で発生する油圧室１６の容積変化がダイアフラム８ａ、中間室１１およびダイアフラム８を介してポンプ室４内の取扱液に伝播され、前記取扱液が流体吸込弁３８および流体吐出弁４０（共に図示せず）を介して吐出されるように構成されている。そして、この型式のダブルダイアフラム型往復動ポンプは、ボルト９，９ａを取外すことによって油圧室１６から分離するように構成されている。
【０００４】
【発明が解決しようとする課題】
しかしながら、先に述べた従来のダブルダイアフラム型往復動ポンプは、次に述べるような難点があって、その改良が強く要望されていた。
【０００５】
すなわち、油圧室１６からポンプ室４を分離すべくボルト９，９ａを取外すと、図３の組立体が分解されて、取扱液のみならず作動液や中間室の液も流出したり、取扱液に混入したりする。また、ＰＴＦＥ製ダイアフラムを使用した場合には、ボルト９，９ａを分解、組立を繰り返すことによって、ダイアフラムのシール部にコールドフロー現象を生じて、そのシール性が低下する難点があった。
【０００６】
そこで、本発明の目的は、その取扱液が他の物質の混入をきらうような場合でも、駆動側チャンバからポンプヘッドを分離する作業を容易にしかも衛生的に達成すると共に、分離されたポンプヘッドを再組立時にもシール性を確保することができるダブルダイアフラム型往復動ポンプを提供することにある。
【０００７】
【課題を解決するための手段】
先の目的を達成するために、本発明に係るダブルダイアフラム型往復動ポンプは、駆動側ケーシングと第１のバックアッププレートとにより第１のダイアフラムを介して液密に形成する駆動側チャンバと、ポンプヘッドと第２のバックアッププレートとにより第２のダイアフラムを介して液密に形成するポンプ室と、前記第１のバックアッププレートの凸面を前記第２のバックアッププレートの凹面に嵌入してシール手段を使用し、前記第１のダイアフラムと前記第２のダイアフラムにより囲繞して形成する緩衝液室と、を備えることを特徴とする。
【０００９】
駆動側チャンバのバックアッププレートは、たとえば凸面に形成され、一方ポンプヘッドのバックアッププレートは凹面に形成されてインローで組合せ、インロー部をシール部材でシールする。さらに、たとえば駆動側チャンバのケーシングに形成される突出部とバックアッププレートの凹面段部並びにポンプヘッドに形成される凹面とバックアッププレートの凸面段部とによりそれぞれダイアフラムを液密に挟持するよう構成する。
【００１０】
また、ポンプヘッド側のバックアッププレートは、ポンプヘッドに、駆動側チャンバのバックアッププレートは、駆動側チャンバのケーシングにそれぞれ緊締固着するように構成する。
【００１１】
すなわち、本発明に係るダブルダイアフラム型往復動ポンプにおいて、ポンプヘッドおよび駆動側チャンバがそれぞれ２枚のダイアフラムを介して液密ユニットとして形成される。従って、ポンプ室を駆動側ケーシングから分離するに際して、取扱液および作動液が流出混合されることはなく、またポンプ室の再組立に際してダイアフラムが繰返し締付けられても、ダイアフラムがコールドフローすることもない。
【００１２】
なお、バックアッププレートをインローで組合せることに代えて、例えば、その対面を平面に形成し、ガスケット等の封止手段を介して組合せて液密ユニットを形成しても良い。
【００１３】
本発明に係るダブルダイアフラム型往復動ポンプによれば、ポンプ室を駆動側チャンバから分離して清掃する場合、その取扱液が飲食品、医薬品等で他の物質の混入が許されないような場合でも、中間室の緩衝液が流出するだけで、分離作業は簡便にしかも衛生的に行なわれ、清掃されたポンプ室の再組立時のシール性も確保される。
【００１４】
【実施例】
次に、本発明に係るダブルダイアフラム型往復動ポンプの一実施例を添付図面を参照しながら以下詳細に説明する。
【００１５】
図１および図２において、先ず、本発明に係るダブルダイアフラム型往復動ポンプの構成は、基本的には、２枚のダイアフラム２０，２２を使用する。
【００１６】
そして、駆動側チャンバ２６は、駆動側ケーシング２４とバックアッププレート４２とにより一方のダイアフラム２０を介して液密になるように構成する。
【００１７】
一方、ポンプ室３０は、ポンプヘッド２８とバックアッププレート４４とにより他方のダイアフラム２２を介して液密になるように構成する。
【００１８】
また、バックアッププレート４２，４４とを突合わせ、ダイアフラム２０および２２により囲繞して緩衝液室３２を構成する。
【００１９】
さらに、駆動室３４内を往復動するプランジャ３６によって発生する駆動側チャンバ２６内の容積の変化は、前記ダイアフラム２０、緩衝液室３２内の液並びにダイアフラム２２を介してポンプ室３０の取扱液に伝えられる。その結果、前記取扱液は、吸込弁３８から吐出弁４０を通って吐出される。
【００２０】
次に、本発明に係るダブルダイアフラム型往復動ポンプにおいて、一例としてダイアフラム２０，２２のバックアッププレート４２，４４には、それぞれ凸面４６，４８と凹面５０，５２とが形成されて、インロー組合せ構造となっている。
【００２１】
駆動側ケーシング２４には、リム部５４を設けて、バックアッププレート４２の凹面５０と嵌合するように構成する。一方、ポンプヘッド２８のポンプ室側面に凹面５６を形成してバックアッププレート４４の凸面４８と嵌合するよう構成する。
【００２２】
このような構成において、ダイアフラム２０は、駆動側ケーシング２４のリム部５４とバックアッププレート４２の凹面との間に挟持され、ボルト５８により緊締される。さらに、ダイアフラム２２は、バックアッププレート４４の凸面４８とポンプヘッドの凹面５６との間に挟持され、ボルト６０により緊締される。
【００２３】
そして、このように構成されるポンプヘッドユニットと駆動側チャンバユニットとを突合せ、バックアッププレート４２の凸面４６をバックアッププレート４４の凹面に嵌入し、シール手段６２を使用して緩衝液室３２を形成する。バックアッププレート４２と４４の結合方法としては、例えば、前記バックアッププレートに凹面を設けずに、平面にすることも可能である。
【００２４】
本発明に係るダブルダイアフラム型往復動ポンプにおいては、ポンプヘッドと駆動側チャンバとがそれぞれダイアフラムを介して液密ユニットとして形成されるから、先に述べた通り、ポンプヘッドを駆動側チャンバから分離する作業に際して、取扱液および作動液が放出混合されることはない。またポンプ室の再組立に際してダイアフラムが繰返し締付けられることに起因するシール性の低下も回避される。
【００２５】
因みに、緩衝液自体は、不活性、無害でかつ気体を溶解しにくい、例えば、シリコンオイルあるいは取扱液に混入しても影響がない液が用いられるので、ポンプヘッドの分離作業時に流出しても作業環境を害することはない。
【００２６】
以上、本発明に係るダブルダイアフラム型往復動ポンプをその好適な一実施例について説明したが、本発明はこの実施例に限定されることなく、その精神を逸脱しない範囲内において多くの改良変更が可能である。
【００２７】
【発明の効果】
先に説明したように、本発明に係るダブルダイアフラム型往復動ポンプは、駆動側ケーシングと第１のバックアッププレートとにより第１のダイアフラムを介して液密に形成する駆動側チャンバと、ポンプヘッドと第２のバックアッププレートとにより第２のダイアフラムを介して液密に形成するポンプ室と、前記第１のバックアッププレートの凸面を前記第２のバックアッププレートの凹面に嵌入してシール手段を使用し、前記第１のダイアフラムと前記第２のダイアフラムにより囲繞して形成する緩衝液室と、を備えるように構成した。従って、ポンプ側ユニットの分離に際して取扱液および駆動液が流出混合されることはない。またポンプ室の再組立に際してダイアフラムがコールドフローを起こすことも回避される。
【００２８】
それ故、本発明に係るダブルダイアフラム型往復動ポンプによれば、ポンプヘッドを駆動側チャンバから分離して清掃する作業を、その取扱液が、例えば、飲食品、医薬品等である場合でも、簡便にしかも衛生的に達成することができると共に、ダイアフラムの取外しを行わないことから清掃されたポンプヘッド再組立時のシール性を良好に維持することができる。
【図面の簡単な説明】
【図１】本発明に係るダブルダイアフラム型往復動ポンプの一部切欠断面図である。
【図２】図１に示すダブルダイアフラム型往復動ポンプの要部を示す拡大説明図である。
【図３】従来のダブルダイアフラム型往復動ポンプの要部を示す説明図である。
【符号の説明】
２０，２２  ダイアフラム
２４  駆動側ケーシング
２６  駆動側チャンバ
２８  ポンプヘッド
３０  ポンプ室
３２  緩衝液室
３４  駆動室
３６  プランジャ
３８  吸込弁
４０  吐出弁
４２，４４  バックアッププレート
４６，４８  凸面
５０，５２  凹面
５４  リム部
５６  凹面
５８，６０  ボルト
６２  シール手段
【図１】
0003901276.tif 000002
【図２】
0003901276.tif 000003
【図３】
0003901276.tif 000004